(57)【要約】【課題】衣料の洗濯において、優れた洗浄力を有し、起泡性と濯ぎ性の両方に優れた洗濯用の衣料用液体洗浄剤組成物を提供する。【解決手段】（Ａ）非石鹸系陰イオン界面活性剤、（Ｂ）炭素数８〜１８の脂肪酸又はその塩、（Ｃ）アルカリ剤を、それぞれ特定比率で含有し、（Ａ）／（Ｂ）質量比が７５／２５〜５５／４５、（Ｂ）中、炭素数１４の脂肪酸又はその塩の割合が７０質量％以上、非イオン界面活性剤の含有量が５質量％以下、ＪＩＳ  Ｋ３３６２：１９９８記載の２５℃で測定するｐＨが７．５〜１２である、衣料用液体洗浄剤組成物。【選択図】なし【特許請求の範囲】
【請求項１】
（Ａ）非石鹸系陰イオン界面活性剤５〜３０質量％、（Ｂ）炭素数８〜１８の脂肪酸又はその塩１．５〜２０質量％、（Ｃ）アルカリ剤２〜２０質量％を含有し、
（Ａ）／（Ｂ）の質量比が７５／２５〜５５／４５であり、
（Ｂ）中、炭素数１４の脂肪酸又はその塩の割合が７０質量％以上であり、
非イオン界面活性剤の含有量が５質量％以下であり、
ＪＩＳ  Ｋ３３６２：１９９８記載の２５℃で測定するｐＨが７．５〜１２である、
衣料用液体洗浄剤組成物。
【請求項２】
（Ａ）として、ポリオキシアルキレンアルキルエーテル硫酸エステル、アルキルベンゼンスルホン酸、α−オレフィンスルホン酸、α−スルホ脂肪酸エステル及びこれらの塩から選ばれる１種以上を含有する、請求項１記載の衣料用液体洗浄剤組成物。
【請求項３】
（Ａ）として、（Ａ１）ポリオキシアルキレンアルキルエーテル硫酸エステル及び／又はその塩、並びに（Ａ２）アルキルベンゼンスルホン酸及び／又はその塩を含有する、請求項１又は２記載の衣料用液体洗浄剤組成物。
【請求項４】
（Ｃ）が、ｐＫａが９．０〜１０．６の化合物である、請求項１〜３の何れか１項に記載の衣料用液体洗浄剤組成物。
【請求項５】
更に、（Ｅ）水混和性有機溶剤を含有する、請求項１〜４の何れか１項に記載の衣料用液体洗浄剤組成物。
【請求項６】
非イオン界面活性剤の含有量が２質量％以下である、請求項１〜５の何れか１項に記載の衣料用液体洗浄剤組成物。
【請求項７】
Ｂ型粘度計により測定した２０℃における粘度が１０〜２，０００ｍＰａ・ｓである、請求項１〜６の何れか１項に記載の衣料用液体洗浄剤組成物。
【請求項８】
手洗い洗濯用である、請求項１〜７の何れか１項記載の衣料用液体洗浄剤組成物。
【請求項９】
請求項１〜８の何れか１項に記載の衣料用液体洗浄剤組成物を、（Ａ）、（Ｂ）及び（Ｃ）の含有量の合計で１００〜１０，０００ｐｐｍの濃度で含有する洗浄水を用いて衣料を洗濯する洗濯方法。
【請求項１０】
衣料を手洗い洗濯する、請求項９記載の洗濯方法。
【発明の詳細な説明】
【技術分野】
【０００１】
本発明は、液体洗浄剤組成物、詳しくは手洗い洗濯用として好適な液体洗浄剤組成物に関する。
【背景技術】
【０００２】
衣料等の洗濯方法としては、大きく分けて手洗い洗濯と洗濯機洗濯の２種類がある。近年では、洗濯機の普及により洗濯機による洗濯が増加する傾向にあるが、汚れの落ち具合をしっかり確認できることや経済性の観点などから、世界的にみれば依然、手洗い洗濯が広く行われている。特に、水資源の少ない地域では出来るだけ少ない水で洗濯できるように手洗い洗濯を採用する場合が多い。
【０００３】
手洗い洗濯は、洗濯機による洗濯と比較した場合、汚れの落ち具合、被洗浄物の種類など、状況に応じたきめ細かい洗浄が可能となる一方、洗濯をする者にとって、肉体的、精神的疲労感を伴う。特に、被洗浄物同士をこすり合わせる「もみ洗い」は、被洗浄部位に機械力をかけやすく、最も自然な手洗い方法の１つである。
【０００４】
衣料等の洗濯時に発生する泡の量は、洗濯を行う消費者にとっては、洗濯が充分にされているという充実感、安心感を生じさせる要因となるものであり、経済性及び泡立ち（速泡性）等の観点から、陰イオン界面活性剤、例えばアルキルベンゼンスルホネートが主体の洗剤が多く製造・販売されている。
【０００５】
一方、洗濯用の洗浄剤組成物としては、主として、粒状（固体状）のものと液状のものが知られている。液状の洗浄剤組成物は、使用時に微粉の発生がない、洗濯水に速やかに溶解、分散するといった利点がある。
【０００６】
特許文献１には、特定の陰イオン界面活性剤及び特定の非イオン界面活性剤混合物を包含する界面活性剤系と、洗浄性ビルダーと、補助洗剤成分とを含有する、手洗い操作で使用するための、液体の形態をとり得る洗濯洗剤組成物が開示されている。また、特許文献２には、アニオン界面活性剤、非イオン界面活性剤及びカチオン界面活性剤を特定条件で含む、液体の形態をとり得る手洗い洗濯洗剤組成物が開示されている。また、特許文献３には、特定の界面活性剤、高級脂肪酸塩、ベンゼン又は低級アルキルベンゼンのスルホン酸塩、無機質ビルダー、及び多価カルボン酸アルカリ塩を含有する水性液体洗剤組成物が開示されている。また、特許文献４には、陰イオン合成界面活性剤、炭素数１０〜２２の脂肪酸、水溶性洗浄力ビルダー、タンパク分解酵素、ホウ素化合物、水溶性ホルメート、カルシウムイオン、及び水を含有する液体洗剤が開示されている。
【先行技術文献】
【特許文献】
【０００７】
【特許文献１】特表平１０−５０４０４９号公報
【特許文献２】特表平１０−５０４０５６号公報
【特許文献３】特開昭５２−８２９０９号公報
【特許文献４】特開昭６１−５７６９８号公報
【発明の概要】
【発明が解決しようとする課題】
【０００８】
洗濯用の洗浄剤組成物においては、優れた洗浄力を有することに加え、洗浄時に適度な泡立ちを示す起泡性と、濯ぎ時には泡が速やかに消える等の濯ぎ性に優れることが望まれる。特許文献１、２は起泡性が良く低刺激性であるとされているが、濯ぎ時の速やかな泡消えを未だ十分に達成できていない。特許文献３は、洗浄性と安定性に優れるとされているが、手洗い洗濯における適度な泡立ちと速やかな泡消えの両立を達成できない。特許文献４は、酵素を安定化するために硼酸及びホルメートを使用するものであり、手洗い洗濯における適度な泡立ちと速やかな泡消えの両立についての示唆はない。
【０００９】
本発明の課題は、衣料等の洗濯において、優れた洗浄力を有し、起泡性と濯ぎ性の両方に優れた洗濯用の液体洗浄剤組成物を提供することである。
【課題を解決するための手段】
【００１０】
本発明は、（Ａ）非石鹸系陰イオン界面活性剤〔以下、（Ａ）成分という〕５〜３０質量％、（Ｂ）炭素数８〜１８の脂肪酸又はその塩〔以下、（Ｂ）成分という〕１．５〜２０質量％、（Ｃ）アルカリ剤〔以下、（Ｃ）成分という〕２〜２０質量％を含有し、
（Ａ）／（Ｂ）の質量比が７５／２５〜５５／４５であり、
（Ｂ）中、炭素数１４の脂肪酸又はその塩〔以下、Ｃ14脂肪酸という〕の割合が７０質量％以上であり、
非イオン界面活性剤の含有量が５質量％以下であり、
ＪＩＳ  Ｋ３３６２：１９９８記載の２５℃で測定するｐＨが７．５〜１２である、
衣料用液体洗浄剤組成物に関する。
【００１１】
また、本発明は、上記本発明の衣料用液体洗浄剤組成物を、（Ａ）、（Ｂ）及び（Ｃ）の含有量の合計で１００〜１０，０００ｐｐｍの濃度で含有する洗浄水を用いて衣料を洗濯する洗濯方法に関する。
【発明の効果】
【００１２】
本発明によれば、衣料の洗濯において、優れた洗浄力を有し、起泡性と濯ぎ性の両方に優れた衣料用液体洗浄剤組成物が提供される。
【発明を実施するための形態】
【００１３】
＜（Ａ）成分＞
（Ａ）成分の非石鹸系陰イオン界面活性剤としては、特に限定されるものではないが、例えばポリオキシアルキレンアルキルエーテル硫酸エステル及び／又はその塩、アルキルベンゼンスルホン酸及び／又はその塩、α−オレフィンスルホン酸及び／又はその塩、α−スルホ脂肪酸エステル及び／又はその塩、アルキルエーテルカルボン酸及び／又はその塩、アルキルリン酸エステル及び／又はその塩、アルキルエーテルリン酸エステル及び／又はその塩、N−アシル−N−メチルタウリン及び／又はその塩、などが挙げられる。これらの内、ポリオキシアルキレンアルキルエーテル硫酸エステル及び／又はその塩、アルキルベンゼンスルホン酸及び／又はその塩、α−オレフィンスルホン酸及び／又はその塩、α−スルホ脂肪酸エステル及び／又はその塩が好ましく、中でも、ポリオキシアルキレンアルキルエーテル硫酸エステル及び／又はその塩、アルキルベンゼンスルホン酸及び／又はその塩がより好ましい。従って、本発明の衣料用液体洗浄剤組成物は、（Ａ）成分として、ポリオキシアルキレンアルキルエーテル硫酸エステル、アルキルベンゼンスルホン酸、α−オレフィンスルホン酸、α−スルホ脂肪酸エステル及びこれらの塩から選ばれる１種以上を含有することが好ましい。
【００１４】
（Ａ）成分を構成する塩はナトリウム、カリウムなどのアルカリ金属塩、アルカノールアミン塩、及びマグネシウム、カルシウムなどのアルカリ土類金属塩などを挙げることができる。（Ａ）成分は、本発明の組成物には酸型で添加して、系内でアルカリ〔後述する（Ｃ）成分のアルカリ剤として用いるもの〕により中和してもよい。
【００１５】
本発明では、（Ａ）成分として、（Ａ１）ポリオキシアルキレンアルキルエーテル硫酸エステル及び／又はその塩〔以下、（Ａ１）成分という〕、並びに（Ａ２）アルキルベンゼンスルホン酸及び／又はその塩〔以下、（Ａ２）成分という〕の両方を含有することが好ましい。
【００１６】
（Ａ１）成分としては、炭素数１０〜２０のアルキル基を有するポリオキシアルキレンアルキルエーテル硫酸エステル塩が挙げられる。例えば、炭素数１０〜２０の直鎖１級アルコール若しくは直鎖２級アルコール由来のアルキル基又は分岐鎖アルコール由来のアルキル基を有し、アルキレンオキシ基の平均付加モル数が０〜５、好ましくは０．５〜４、より好ましくは１〜３のものが挙げられる。（Ａ１）成分は、アルキレンオキシ基としてエチレンオキシ基を含むことが好ましく、平均付加モル数０．２〜２モルの範囲でプロピレンオキシ基を含んでいてもよい。塩はアルカリ金属塩が好ましく、特にナトリウム塩及び／又はカリウム塩が好ましく、特にナトリウム塩好ましい。
【００１７】
また、（Ａ２）成分としては、炭素数８〜２０、好ましくは１０〜１５のアルキル基を有するアルキルベンゼンスルホン酸塩、好ましくは直鎖アルキルベンゼンスルホン酸塩が挙げられる。
【００１８】
アルキルベンゼンスルホン酸塩は、ナトリウム、カリウムなどのアルカリ金属塩、アルカノールアミン塩、又はマグネシウム、カルシウムなどのアルカリ土類金属塩などを挙げることができるが、洗浄性や組成物の保存安定性の観点から、アルカリ金属塩、又はアルカノールアミン塩であることが好ましい。本発明の組成物を調製する場合、アルキルベンゼンスルホン酸（酸型）を組成物中に添加し、系内でアルカリと中和反応させアルキルベンゼンスルホン酸塩としてもよいし、予め中和した後、組成物中に添加してもよい。アルキルベンゼンスルホン酸の中和には、水酸化ナトリウム、水酸化カリウム、水酸化リチウム、水酸化アンモニウムなどの強塩基や後述する（Ｃ）成分を用いることができる。
【００１９】
＜（Ｂ）成分＞
（Ｂ）成分の炭素数８〜１８の脂肪酸又はその塩としては、特に限定されるものではないが、例えば炭素数８〜１８、好ましくは１０〜１６、より好ましくは１２〜１４の直鎖または分岐鎖のアルキル基を有するもの、好ましくは直鎖またはメチル分岐鎖を有する脂肪酸及び／又はその塩が挙げられる。（Ｂ）成分は、不飽和結合を有しても構わないが、その数は２以下、好ましくは１以下、より好ましくは０であることが濯ぎ性の観点からより好ましい。
【００２０】
（Ｂ）成分としては、好ましくはミリスチン酸及び／又はその塩、ミリスチン酸を多く含むココヤシ由来の脂肪酸の混合物及び／又はその塩などが挙げられ、起泡性、濯ぎ性の観点から、特に起泡性の観点から、ミリスチン酸及び／又はその塩を含むことがより好ましい。
【００２１】
（Ｂ）成分を構成する塩は、ナトリウム、カリウムなどのアルカリ金属塩、アルカノールアミン塩、及びマグネシウム、カルシウムなどのアルカリ土類金属塩などを挙げることができるが、濯ぎ性の観点から、アルカリ金属塩、又はアルカノールアミン塩であることが好ましい。本発明の組成物を調製する場合、脂肪酸（酸型）を組成物中に添加し、系内でアルカリと中和反応させてもよいし、予め中和した後、組成物中に添加してもよい。脂肪酸の中和には、水酸化ナトリウム、水酸化カリウム、水酸化リチウム、水酸化アンモニウムなどの強塩基や後述する（Ｃ）成分を用いることができる。
【００２２】
本発明では、起泡性とすすぎ性のより優れた両立という観点から、（Ｂ）成分中、Ｃ14脂肪酸の割合が、７０質量％以上、好ましくは８０〜１００質量％、より好ましくは９０〜１００質量％、より好ましくは１００質量％である。Ｃ14脂肪酸はミリスチン酸及び／又はその塩が好ましい。よって、（Ｂ）成分中、ミリスチン酸及び／又はその塩の割合が前記範囲であることが好ましい。
【００２３】
＜（Ｃ）成分＞
（Ｃ）成分のアルカリ剤は、特に制限されるものではないが、例えば、ｐＫａが８．０以上、好ましくは８．５〜１０．６、より好ましくは９．０〜１０．６、更に好ましくは９．３〜１０．６の化合物であることが好ましく、具体的には、アルカリ金属水酸化物、炭酸カリウムや炭酸ナトリウムなどのアルカリ金属炭酸塩などの他に、炭素数２〜４のアルカノール基を１〜３つ有するアルカノールアミンを挙げることができる。このうちアルカノール基はヒドロキシエチル基であるものが好ましい。アルカノール基以外は水素原子であるが、炭素数１〜５のアルキル基、特にはメチル基であってもアルカリ剤として使用することができる。アルカノールアミンとしては、モノエタノールアミン（２−アミノエタノール）、Ｎ−メチルエタノールアミン、Ｎ，Ｎ−ジメチルエタノールアミン、Ｎ，Ｎ−ジエチルエタノールアミン、ジエタノールアミン、Ｎ−メチルジエタノールアミン、Ｎ−ブチルジエタノールアミン、トリエタノールアミン、トリイソプロパノールアミン、イソプロパノールアミン混合物（モノ、ジ、トリの混合物）等のアルカノールアミン類が挙げられる。本発明ではアルカノールアミンが好ましく、モノエタノールアミン、トリエタノールアミンが最も好ましい。
【００２４】
さらに、これらのアルカノールアミンを炭酸カリウムなどのアルカリ金属炭酸塩と併用するのが保存安定性をより向上できる点で好ましい。よって、本発明の衣料用液体洗浄剤組成物は、（Ｃ）成分として、アルカノールアミン及びアルカリ金属炭酸塩を含有することが好ましく、その併用比率は、アルカノールアミン／アルカリ金属炭酸塩の質量比で、３０／７０〜８０／２０、更に４０／６０〜７０／３０が好ましい。なお、アルカリ剤としてアルカノールアミン及びアルカリ金属炭酸塩を含有する場合は、アルカリ金属水酸化物を用いなくても良い。
【００２５】
＜液体洗浄剤組成物＞
本発明の液体洗浄剤組成物は、起泡性とすすぎ性の観点から、（Ａ）成分を５〜３０質量％、好ましくは６〜２０質量％、より好ましくは８〜１７質量％、更に好ましくは１０〜１４質量％含有する。また、本発明の液体洗浄剤組成物では、（Ａ）成分として、（Ａ１）成分と（Ａ２）成分を併用する場合は、（Ａ１）成分と（Ａ２）成分との合計が、（Ａ）成分中、１０〜１００質量％、更に５０〜１００質量％、より更に８０〜１００質量％、より更に９０〜１００質量％であることが好ましい。更に、当該合計が１００質量％であっても良い。また、起泡性、すすぎ性、および洗浄力の観点から、（Ａ１）／（Ａ２）の質量比は８５／１５〜３０／７０が好ましく、８０／２０〜４０／６０がより好ましく、７５／２５〜５０／５０がより好ましく、７０／３０〜５５／４５がより好ましい。
【００２６】
また、本発明の液体洗浄剤組成物は、起泡性とすすぎ性の両立という観点から、（Ｂ）成分をナトリウム塩換算の量で算出したもので１．５〜２０質量％、好ましくは３〜２０質量％、より好ましくは４〜１５質量％、更に好ましくは５〜１０質量％含有する。
【００２７】
また、本発明の液体洗浄剤組成物は、起泡性とすすぎ性の両立という観点から、（Ａ）／（Ｂ）の質量比が７５／２５〜５５／４５、好ましくは７４／２６〜５６／４４、より好ましくは７１／２９〜５８／４２、更に好ましくは６８／３２〜６０／４０である。この質量比では、（Ｂ）成分の質量はナトリウム塩換算の質量である。
【００２８】
本発明の液体洗浄剤組成物は、ｐＨを所定の範囲に調整するために、（Ｃ）成分を２〜２０質量％、好ましくは３〜１８質量％、より好ましくは３．５〜１４質量％、更に好ましくは４〜１０質量％含有する。（Ｃ）成分の含有量は、当該洗浄剤組成物のｐＨが後述する範囲内になるのに必要な量であることが好ましい。
【００２９】
本発明の液体洗浄剤組成物は、すすぎ時の速やかな泡消え性の観点から、非イオン界面活性剤の含有量が５質量％以下であり、２質量％以下、更に１．５質量％以下、更に１質量％以下、より更には全く含有しないことが最も望ましい。ここで言う非イオン界面活性剤としては、特に限定されるものではないが、例えばポリオキシアルキレンアルキルエーテルが挙げられ、例えば炭素数１０〜１８のアルコールにエチレンオキサイドを平均で４〜１０モル、プロピレンオキサイドを平均で０〜５モル付加したポリオキシアルキレンアルキルエーテルが挙げられ、その含有量が前記範囲内に留まることが好ましい。一般にこうした非イオン界面活性剤は、気液界面への配向性が高く、またｃ．ｍ．ｃ．（臨界ミセル濃度）が小さいことから、低濃度であってもしつこく泡が残り、すすぎ時の速やかな泡消え性を阻害する虞がある。
【００３０】
本発明の液体洗浄組成物はキレート剤を含有することができるが、分子量が１，０００以下のキレート剤〔以下、（Ｄ）成分という〕の含有量が少ないこと、具体的には、組成物中、０．００１〜１０質量％、更に０．０１〜３質量％、０．０３〜１質量％であることが好ましい。（Ｄ）成分のキレート剤は、例えば、
ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸等のアミノポリ酢酸又はこれらの塩、
ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸等の有機酸又はこれらの塩、
アミノトリ（メチレンホスホン酸）、１−ヒドロキシエチリデン−１，１−ジホスホン酸、エチレンジアミンテトラ（メチレンホスホン酸）、ジエチレントリアミンペンタ（メチレンホスホン酸）、これらのアルカリ金属又はアミン塩等が挙げられる。本発明では前記（Ｃ）成分であげたアルカノールアミンを塩とすることが好ましく、酸で配合し、系中でアルカリ剤と中和した塩であってもよい。
【００３１】
安定性、溶解性向上の点で、（Ｅ）成分として水混和性有機溶剤を含有することが好ましい。本発明でいう水混和性有機溶剤とは、２５℃のイオン交換水１Ｌに５０ｇ以上溶解するもの、すなわち、溶解の程度が５０ｇ／Ｌ以上である溶剤を指す。（Ｅ）成分の含有量は、安定性、溶解性の点から、組成物中、０．５〜４０質量％、更に１〜２０質量％、より更に１．５〜１０質量％、より好ましくは２〜５質量％が好ましい。界面活性剤濃度が濃縮系ではない場合は、１０質量％未満であってもよい。
【００３２】
（Ｅ）成分としては、水酸基及び／又はエーテル基を有する水混和性有機溶剤が好ましい。
【００３３】
（Ｅ）成分としては、（Ｅ１）エタノール、１−プロパノール、２−プロパノール、１−ブタノールなどのアルカノール類、（Ｅ２）プロピレングリコール、ブチレングリコール、ヘキシレングリコールなどのグリコール類、（Ｅ３）ジエチレングリコール、トリエチレングリコール、テトラエチレングリコール、ジプロピレングリコール、トリプロピレングリコールなどのグリコール類、（Ｅ４）ジエチレングリコールモノメチルエーテル、ジエチレングリコールジメチルエーテル、トリエチレングリコールモノメチルエーテル、ジエチレングリコールモノエチルエーテル、ジエチレングリコールジエチルエーテル、ジプロピレングリコールモノメチルエーテル、ジプロピレングリコールモノエチルエーテル、トリプロピレングリコールモノメチルエーテル、１−メトキシ−２−プロパノール、１−エトキシ−２−プロパノール、１−メチルグリセリンエーテル、２−メチルグリセリンエーテル、１，３−ジメチルグリセリンエーテル、１−エチルグリセリンエーテル、１，３−ジエチルグリセリンエーテル、トリエチルグリセリンエーテル、１−ペンチルグリセリルエーテル、２−ペンチルグリセリルエーテル、１−オクチルグリセリルエーテル、２−エチルヘキシルグリセリルエーテル、ジエチレングリコールモノブチルエーテル（ブトキシジグリコールとも呼ばれる）などのアルキルエーテル類、（Ｅ５）２−フェノキシエタノール、ジエチレングリコールモノフェニルエーテル、トリエチレングリコールモノフェニルエーテル、平均分子量約４８０のポリエチレングリコールモノフェニルエーテル、２−ベンジルオキシエタノール、ジエチレングリコールモノベンジルエーテル等の芳香族エーテル類、が挙げられる。
【００３４】
（Ｅ）成分は、組成物の粘度調整剤、ゲル化抑制剤として有効であり、上記の（Ｅ１）アルカノール類、（Ｅ２）グリコール類、（Ｅ４）アルキルエーテル類、（Ｅ５）芳香族エーテル類から選ばれる１種以上を用いることが好ましく、より好ましくは（Ｅ２）グリコール類、（Ｅ４）アルキルエーテル類、（Ｅ５）芳香族エーテル類から選ばれるものであり、特に好ましくは（Ｅ４）である。特に、ジエチレングリコールモノブチルエーテルが好ましい。（Ｅ）成分は粘度調整やゲル化抑制に効果的である。
【００３５】
本発明の液体洗浄剤組成物において、水の含有量は、組成物中、５〜９０質量％、更に１０〜８５質量％、より更に２０〜８０質量％が好ましい。水はイオン交換水などの組成に影響しないものを用いることが好ましい。
【００３６】
本発明の液体洗浄剤組成物には、その他の成分として、次の（ｉ）〜（xiii）に示す成分を本発明の効果を損なわない程度で配合することができる。
【００３７】
（ｉ）ポリアクリル酸、ポリマレイン酸、カルボキシメチルセルロース、重量平均分子量５，０００以上のポリエチレングリコール、無水マレイン酸−ジイソブチレン共重合体、無水マレイン酸−メチルビニルエーテル共重合体、無水マレイン酸−酢酸ビニル共重合体、ナフタレンスルホン酸塩ホルマリン縮合物、及び特開昭５９−６２６１４号公報の請求項１〜２１（１頁３欄５行〜３頁４欄１４行）記載のポリマーなどの再汚染防止剤及び分散剤  ０．１〜１０質量％、好ましくは０．２〜５質量％、より好ましくは０．３〜３質量％、より好ましくは０．５〜０．８質量％
（ii）ポリビニルピロリドン等の色移り防止剤
（iii）過酸化水素、過炭酸ナトリウム又は過硼酸ナトリウム等の漂白剤
（iv）テトラアセチルエチレンジアミン、特開平６−３１６７００号の一般式（Ｉ−２）〜（Ｉ−７）で表される漂白活性化剤等の漂白活性化剤
（ｖ）セルラーゼ、アミラーゼ、ペクチナーゼ、プロテアーゼ、リパーゼ等の酵素
（vi）ホウ素化合物、カルシウムイオン源（カルシウムイオン供給化合物）、ビヒドロキシ化合物、蟻酸等の酵素安定化剤
（vii）蛍光染料、例えばチノパールＣＢＳ（商品名、チバスペシャリティケミカルズ製）やホワイテックスＳＡ（商品名、住友化学社製）として市販されている蛍光染料
（viii）ブチルヒドロキシトルエン、ジスチレン化クレゾール、亜硫酸ナトリウム及び亜硫酸水素ナトリウム等の酸化防止剤
（ix）パラトルエンスルホン酸、クメンスルホン酸、メタキシレンスルホン酸、安息香酸塩（防腐剤としての効果もある）などの可溶化剤
（ｘ）平均分子量約２００〜約４００のポリエチレングリコール、平均分子量約１，０００〜約２，０００のポリプロピレングリコールなどのポリアルキレングリコール系ゲル化防止重合体
（xi）オクタン、デカン、ドデカン、トリデカンなどのパラフィン類、デセン、ドデセンなどのオレフィン類、塩化メチレン、１，１，１−トリクロロエタンなどのハロゲン化アルキル類、Ｄ−リモネンなどのテルペン類などの水非混和性有機溶剤。
（xii）ゼオライトや結晶性層状シリケートなどの金属イオン交換剤
（xiii）その他、色素、香料、抗菌防腐剤、シリコーン等の消泡剤
【００３８】
本発明の液体洗浄剤組成物の２０℃における粘度は、取り扱いの容易さの点で１０〜２，０００ｍＰａ・ｓが好ましく、１００〜１，５００ｍＰａ・ｓがより好ましく、３００〜１，０００ｍＰａ・ｓが更に好ましい。冬場の使用も考えて５℃における粘度は、取り扱いの容易さの点で１００〜２，０００ｍＰａ・ｓが好ましく、３００〜１，５００ｍＰａ・ｓがより好ましい。（Ｅ）成分や可溶化剤または無機塩などによりこのような範囲になるように調整することが好ましい。本発明において粘度はＢ型粘度計により測定する。ローターは粘度に合ったものを選択する。回転数６０ｒ／ｍｉｎで回転し、回転開始から６０秒後の粘度を液体洗浄剤組成物の粘度とする。
【００３９】
本発明の液体洗浄剤組成物は、起泡性、洗浄力の観点から、ＪＩＳ  Ｋ３３６２：１９９８記載の２５℃で測定するｐＨが７．５〜１２であり、好ましくは８〜１１．５、より好ましくは８．５〜１１、更に好ましくは９〜１０．５である。
【００４０】
本発明の衣料用液体洗浄剤組成物は、洗浄力の観点から、緩衝能を有することが望ましい。詳しくは、組成物の０．３質量％水溶液１Ｌを、ｐＨ（ＪＩＳ  Ｋ３３６２：１９９８記載の２５℃で測定するｐＨ）を６．５にするために必要な０．１Ｎ塩酸の量が０．３ｍＬ〜２０ｍＬであることが望ましい。
【００４１】
本発明の衣料用液体洗浄剤組成物は、家庭での洗濯用、更には手洗い洗濯用として好適であり、衣料には、衣類、布帛、寝具、タオル等の繊維製品が含まれ、これらの手洗い洗濯に好適に用いられる。
【００４２】
本発明の液体洗浄剤組成物を用いた洗濯方法では、本発明の衣料用液体洗浄剤組成物を、（Ａ）、（Ｂ）及び（Ｃ）の含有量の合計で１００〜１０，０００ｐｐｍ、好ましくは１５０〜５，０００ｐｐｍ、より好ましくは２００〜３，０００ｐｐｍの濃度で含有する洗浄水を用いて衣料を洗濯する。衣料を手洗い洗濯することが好ましい。手洗い洗濯方法としては、布帛のような被洗浄物に、本発明の液体洗浄剤組成物を含む洗浄水を接触、浸漬させて手洗いする方法が挙げられる。接触時間及び／又は浸漬時間が長いと洗浄効果が高く、５〜１５分接触及び／又は浸漬するとより良好な効果が得られる。特に汚れた部分に直接組成物を塗布して５〜１５分放置するとさらに高い効果が得られる。洗浄水は、本発明の組成物または組成物の水希釈物（例えば水溶液）が用いられる。布帛の質量に対する洗浄水の質量は、好ましくは２〜１００倍、より好ましくは３〜５０倍、特に好ましくは５〜２５倍である。本発明に係る洗浄水で布帛を十分に手でこすり洗いすると高い洗浄力が得られるばかりか豊かな泡立ちがあるため、視覚的に好ましい。こすり洗い後は洗浄水から布帛を取り出し、絞って水を切るか脱水機を用いて水を切り、新しい水〔以下すすぎ水という〕に再度浸漬させる。すすぎ水は、洗面器などにためた水でも流水でもどちらでも良い。布帛に対するすすぎ水の質量は、すすぎに用いたすすぎ水の全量基準で、好ましくは２〜１，０００倍、より好ましくは５〜５００倍、特に好ましくは１０〜１００倍である。すすぎ水を浸漬させた段階で布帛に残存している界面活性剤などが、すすぎ水に再溶解するため、泡立ちが見られる。この操作を数回繰り返すと泡立ちがなくなりすすぎ終了となる。手洗いによる一般的な洗濯では、例えば通常の洗浄剤を用いた場合には一般的に５回以上必要となるが、本発明では３回以下ですすぎを終了でき、非常に少ないすすぎ水ですすぎを終了させることができる。
【００４３】
本発明の液体洗浄剤組成物を用いた洗濯方法では、洗浄水の調製に用いる水の硬度、およびすすぎ水の硬度は、洗浄力とすすぎ性の観点から１°ＤＨ〜５０°ＤＨが好ましく、より好ましくは２°ＤＨ〜４０°ＤＨ、より好ましくは３°ＤＨ〜３０°ＤＨ、より好ましくは５°ＤＨ〜２５°ＤＨ、より好ましくは１０°ＤＨ〜２０°ＤＨである。
【実施例】
【００４４】
表１に示す配合成分を用いて液体洗浄剤組成物を調製し、以下の評価を行った。結果を表１に示す。
【００４５】
（１）泡立ち性評価
円形洗面器（底面の直径２５ｃｍ、上面の直径３０ｃｍ、高さ１２ｃｍ、新輝合成株式会社、洗桶３３型）に、水温２０℃、炭酸カルシウム換算で１７９ｍｇ／Ｌの硬水〔塩化カルシウムＣａＣｌ2１．１９ｇと硫酸マグネシウムＭｇＳＯ4・７Ｈ2Ｏ１．７６ｇにイオン交換水を加えて１０Ｌとしたもの、Ｃａ／Ｍｇ＝７／３（モル比）、本硬水はドイツ硬度で１０°ＤＨに相当する〕３Ｌを注入する。そこに液体洗浄剤組成物を１５ｇ添加し、手で攪拌しながら均一に溶解させる。次いでそこに下記に示す調整油を、１枚当り１ｇになるよう均一に滴下した肌着（グンゼ社製、ＹＧ１６１４丸首Ｌサイズ、木綿製）を３枚投じ、洗浄液に完全に浸る状態で１５分間放置する。１５分間放置後、肌着１枚に付き５０回もみ洗い（布と布を擦り合わせながら１往復（約１秒）で１回と換算）する。その後、肌着を取り出し、肌着の含水量が肌着に対して４０〜６０％程度になるように洗面器の上で絞り、３枚絞った直後の洗濯液面の状態を確認する。評価基準は、洗濯液面全体を泡が覆っている場合は、その泡高さを、ものさしを差し込んで計測し、以下の基準で評価した。
【００４６】
＊調整油
ラウリン酸１質量％、ミリスチン酸７．１質量％、ペンタデカン酸５．３質量％、パルチミチン酸１４．２質量％、ヘプタデカン酸１質量％、ステアリン酸３．６質量％、オレイン酸１７．８質量％、トリオレイン３０質量％、パルミチン酸ｎ−ヘキサデシル５質量％、スクアレン１５質量％を約６０℃に加温し、均一に溶解混合したものを調整油とした。
【００４７】
評価基準
○：泡の高さが１ｃｍ以上
△：泡の高さが１ｃｍ未満
×：一部泡が覆っていない部分がある
【００４８】
（２）すすぎ性評価
円形洗面器（底面の直径２５ｃｍ、上面の直径３０ｃｍ、高さ１２ｃｍ、新輝合成株式会社、洗桶３３型）に、水温２０℃、炭酸カルシウム換算で１７９ｍｇ／Ｌの硬水（前記泡立ち性評価で用いたものと同様に調製したもの）５Ｌを注入し、上記泡立ち性評価で絞った肌着３枚を投入する。肌着をすすぎ水中でほぐした後、ほぐした肌着を１枚ずつ浴中から上に持ち上げ（浴中から衣類全体が抜け切るまで）、その後再び浴中へ戻す。このような上下運動によるすすぎを１枚の肌着につき１０回繰り返した後、肌着の含水量が肌着に対して４０〜６０％程度になるように手で絞る。３枚の肌着のすすぎ、脱水が終わった直後のすすぎ水の液面状態を観察し、下記の基準でポイントをつける。脱水した肌着に新しいすすぎ水を投入し、この評価をあと２回繰り返し（上記泡立ち性評価から含めて１つの液体洗浄剤組成物について用いる肌着は３枚）行い、ポイントの総和ですすぎ性を評価した。
ポイント
６：液面全体に泡高さ１ｃｍ以上の泡が残っている
５：液面全体に泡が残っている（１ｃｍ未満）
４：液面の１／２程度に泡が残っている
３：液面の１／４程度に泡が残っている
２：液面に細かい泡が残っている
１：液面に泡が残っていない
【００４９】
（３）洗浄力評価
＜人工汚染布の作製＞
使用した人工汚染布は、６ｃｍ×６ｃｍの木綿／ポリエステルブロード混紡染着布（木綿／ポリエステル比＝３５／６５  谷頭商店より購入）に、下記組成から成る人工汚垢を１枚当り１００ｍｇになるようグラビア塗工したものである。
【００５０】
＊人工汚垢
下記Ａ、Ｂ、Ｃ、Ｄ、Ｅを含有する組成物を人工汚垢とした。それぞれの質量％は、最終組成の人工汚垢中の割合であり、合計が１００質量％となるようにＢの量を調節した。
Ａ：前記泡立ち性評価で用いた調整油（人工汚垢中の質量％が、ラウリン酸０．４４質量％、ミリスチン酸３．１５質量％、ペンタデカン酸２．３５質量％、パルチミチン酸６．３１質量％、ヘプタデカン酸０．４４質量％、ステアリン酸１．６質量％、オレイン酸７．９１質量％、トリオレイン１３．３３質量％、パルミチン酸ｎ−ヘキサデシル２．２２質量％、スクアレン６．６６質量％となる量で用いる）
Ｂ：塩化カルシウム（２水塩）１０５ｍｇを秤量し、蒸留水に溶かして１，０００ｍｌとして得た硬水
Ｃ：卵白レシチン液晶物１．９８質量％（蒸留水８０ｍｌにアルギニン塩酸塩１１．３７ｇ、ヒスチジン４．２０ｇ、セリン２．４４ｇを溶解し、濃塩酸でｐＨを５．０に調整した後、この溶液と卵白レシチンをミキサーで十分混ぜ合わせて得た卵白レシチン液晶物）
Ｄ：鹿沼赤土８．１１質量％
Ｅ：カーボンブラック０．０２５質量％
【００５１】
＜洗浄条件＞
液体洗浄剤組成物３ｇを、炭酸カルシウム換算で１７９ｍｇ／Ｌの硬水（前記泡立ち性評価で用いたものと同様に調製したもの）１Ｌに溶解し、そこに上記人工汚染布４枚入れてターゴトメーターにて以下の条件で洗浄した。
洗浄時間１０分
水温２０℃
洗浄力は、汚染前の原布、及び洗浄前後の５５０ｎｍにおける反射率を測色色差計（日本電色株式会社製  Ｚ−３００Ａ）にて測定し、次式によって洗浄率（％）を求めた。
洗浄率（％）＝１００×［（洗浄後の反射率−洗浄前の反射率）／（原布の反射率−洗浄前の反射率）］
【００５２】
【表１】
2012007155.tif 000002
【００５３】
・ＡＥＳ−Ｎａ：ポリオキシアルキレン（アルキレンオキサイド平均付加モル数２）ラウリルエーテル硫酸エステルナトリウム、エマール２７０Ｊ（花王（株）製）
・ＬＡＳ−Ｎａ：ラウリルベンゼンスルホン酸ナトリウム、ネオペレックスＧ−１５（花王（株）製）
・ヤシ油脂肪酸ナトリウム：構成脂肪酸の炭素数は８〜１８
・ＡＥ：ポリオキシエチレン（エチレンオキサイド平均付加モル数２０）アルキル（炭素数１０〜１４）エーテル、非イオン界面活性剤
【００５４】
ここで、表１の組成物は、全て、２０℃における粘度（測定方法は前述の通り）が１０〜２，０００Ｐａ・ｓの範囲にあった。
【００５５】
表２に示す配合成分を用いて液体洗浄剤組成物を調製し、上記と同様の評価を行った。結果を表２に示す。なお、必要により、４８％水酸化ナトリウム水溶液を用いてｐＨ調整を行った。
【００５６】
【表２】
2012007155.tif 000003
【００５７】
・ＡＯＳ：α−オレフィンスルホン酸ナトリウム〔アルケンスルホン酸ナトリウム（６０〜７０質量％）とヒドロキシアルカンスルホン酸ナトリウム（３０〜４０質量％）との混合物（α−オレフィンとアルカンの炭素数１０〜１８）〕
・α−ＳＦ：α−スルホ脂肪酸メチルエステルナトリウム塩（脂肪酸の炭素数１４〜１８）
・ＬＡＳ−Ｎａ：ラウリルベンゼンスルホン酸ナトリウム、ネオペレックスＧ−１５（花王（株）製）
【００５８】
ここで、表２の組成物は、全て、２０℃における粘度（測定方法は前述の通り）が１０〜２，０００Ｐａ・ｓの範囲にあった。